【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
車体と座席との間に設けられるサイドエアバッグ装置であって、
膨出可能なエアバッグと、
該エアバッグの内部にガスを供給するインフレータと、
折り畳まれた状態の前記エアバッグ及び前記インフレータを格納するベース格納部を有し、車体ドアと前記座席との間に取り付けられるベース部材と、
前記ベース格納部を車体後方側から保持するリテーナ部材と、
前記エアバッグを膨出方向に案内する力布と、
前記インフレータに一端部が接続され、前記インフレータに点火用電力を供給するハーネスと、を備え、
前記ベース部材には、前後方向に前記ベース部材を貫通するとともに、前記インフレータよりも上方に配置された開口部が設けられ、
前記ハーネスが前記ベース部材の前記開口部を通過しており、
前記ベース部材の前記開口部のうち、前記ハーネスが通過する部分は、前記力布と同じ高さに配置されていることを特徴とするサイドエアバッグ装置。
【請求項２】
前記ハーネスは、前記ベース部材の前記開口部に支持され、
前記ベース部材には、前記力布の端部が取り付けられていることを特徴とする請求項１に記載のサイドエアバッグ装置。
【請求項３】
前記インフレータは、前記ベース部材の第一側面を挿通して前記ベース部材に組み付けられる組み付け軸部を有し、
前記開口部は、前記ベース部材の前記第一側面とは異なる第二側面に形成され、
前記リテーナ部材のうち、前記組み付け軸部が挿入される部分は、前記力布と同じ高さに配置されていることを特徴とする請求項１又は２に記載のサイドエアバッグ装置。
【請求項４】
前記ベース部材の開口部は、前記ベース部材と前記リテーナ部材が締結される締結部よりも上下方向で高い位置に配置されていることを特徴とする請求項１乃至３のいずれか一項に記載のサイドエアバッグ装置。
【請求項５】
前記ベース部材は、前記ハーネスを支持するハーネス支持部を有し、
該ハーネス支持部は、前記ベース格納部の上下方向における中央部よりも上方に設けられていることを特徴とする請求項１乃至４のいずれか一項に記載のサイドエアバッグ装置。
【請求項６】
前記ベース部材は、前記ハーネスを支持するハーネス支持部を有し、
該ハーネス支持部は、前記ベース部材の前記開口部に設けられ、該ハーネス支持部の上下方向における下部が底面となる凹部形状を有することを特徴とする請求項１乃至４のいずれか一項に記載のサイドエアバッグ装置。
【請求項７】
前記ベース部材は、前記ハーネスを支持するハーネス支持部を有し、
該ハーネス支持部は、前記リテーナ部材の上端よりも上下方向における下方に配置されていることを特徴とする請求項１乃至４のいずれか一項に記載のサイドエアバッグ装置。
【請求項８】
前記ベース部材は、下方に突出する下方突出部を有し、
前記リテーナ部材は、前記ベース格納部を保持する前記リテーナ部材の一部から前記下方突出部に向かって延出し、前記下方突出部に重ね合わされた状態で、前記下方突出部に取り付けられていることを特徴とする請求項１乃至７のいずれか一項に記載のサイドエアバッグ装置。
【請求項９】
前記リテーナ部材は、前記ベース部材に直接接触して取り付けられていることを特徴とする請求項１乃至８のいずれか一項に記載のサイドエアバッグ装置。
【請求項１０】
前記開口部は、前記ベース格納部の後面に形成されていることを特徴とする請求項１乃至９のいずれか一項に記載のサイドエアバッグ装置。
【手続補正２】
【補正対象書類名】明細書
【補正対象項目名】０００９
【補正方法】変更
【補正の内容】
【０００９】
本発明は、上記の課題に鑑みてなされたものであり、本発明の目的は、車体と座席との間の空間に配置され、ハーネスをコンパクトに配置したサイドエアバッグ装置を提供することにある。
また、本発明の他の目的は、ハーネスを好適に構成部品に支持させることが可能なサイドエアバッグ装置を提供することにある。
また、本発明の他の目的は、車体と座席との間の空間に配置され、車体部材との取り付け剛性を向上させたサイドエアバッグ装置を提供することにある。
また、本発明の他の目的は、既存部品を利用して車体部材との取り付け剛性を確保したサイドエアバッグ装置を提供することにある。
また、本発明の他の目的は、エアバッグが膨出展開するときに、エアバッグ及びインフレータを格納する格納ボックス周辺の変形を抑制可能であって、エアバッグの膨出方向を安定させることが可能なサイドエアバッグ装置を提供することにある。
また、本発明の他の目的は、車両運転時には、車体とサイドエアバッグ装置との接触音を抑制可能なサイドエアバッグ装置を提供することにある。
【手続補正３】
【補正対象書類名】明細書
【補正対象項目名】００１０
【補正方法】変更
【補正の内容】
【００１０】
前記課題は、本発明のサイドエアバッグ装置によれば、車体と座席との間に設けられるサイドエアバッグ装置であって、膨出可能なエアバッグと、該エアバッグの内部にガスを供給するインフレータと、折り畳まれた状態の前記エアバッグ及び前記インフレータを格納するベース格納部を有し、車体ドアと前記座席との間に取り付けられるベース部材と、前記ベース格納部を車体後方側から保持するリテーナ部材と、前記インフレータに一端部が接続され、前記インフレータに点火用電力を供給するハーネスと、を備え、前記ベース部材には、前後方向に前記ベース部材を貫通するとともに、前記インフレータよりも上方に配置された開口部が設けられ、前記ハーネスが前記ベース部材の前記開口部を通過しており、前記ベース部材の前記開口部のうち、前記ハーネスが通過する部分は、前記力布と同じ高さに配置されていること、により解決される。
【手続補正４】
【補正対象書類名】明細書
【補正対象項目名】００１１
【補正方法】変更
【補正の内容】
【００１１】
上記構成により、ハーネスを、ベース部材の開口部を通過させてベース部材の裏側に配設することができ、コンパクトに配置することができる。
【手続補正５】
【補正対象書類名】明細書
【補正対象項目名】００１２
【補正方法】変更
【補正の内容】
【００１２】
このとき、前記ハーネスは、前記ベース部材の前記開口部に支持され、前記ベース部材には、前記力布の端部が取り付けられていると好適である。
【手続補正６】
【補正対象書類名】明細書
【補正対象項目名】００１３
【補正方法】変更
【補正の内容】
【００１３】
このとき、前記インフレータは、前記ベース部材の第一側面を挿通して前記ベース部材に組み付けられる組み付け軸部を有し、前記開口部は、前記ベース部材の前記第一側面とは異なる第二側面に形成され、前記リテーナ部材のうち、前記組み付け軸部が挿入される部分は、前記力布と同じ高さに配置されていると好適である。
【手続補正７】
【補正対象書類名】明細書
【補正対象項目名】００１４
【補正方法】変更
【補正の内容】
【００１４】
このとき、前記ベース部材の開口部は、前記ベース部材と前記リテーナ部材が締結される締結部よりも上下方向で高い位置に配置されていると好適である。
【手続補正８】
【補正対象書類名】明細書
【補正対象項目名】００１５
【補正方法】変更
【補正の内容】
【００１５】
このとき、前記ベース部材は、前記ハーネスを支持するハーネス支持部を有し、該ハーネス支持部は、前記ベース格納部の上下方向における中央部よりも上方に設けられていると好適である。
【手続補正９】
【補正対象書類名】明細書
【補正対象項目名】００１６
【補正方法】変更
【補正の内容】
【００１６】
このとき、前記ベース部材は、前記ハーネスを支持するハーネス支持部を有し、該ハーネス支持部は、前記ベース部材の前記開口部に設けられ、該ハーネス支持部の上下方向における下部が底面となる凹部形状を有すると好適である。
上記構成により、ハーネスを好適に構成部品に支持させることができる。
【手続補正１０】
【補正対象書類名】明細書
【補正対象項目名】００１７
【補正方法】変更
【補正の内容】
【００１７】
このとき、前記ベース部材は、前記ハーネスを支持するハーネス支持部を有し、該ハーネス支持部は、前記リテーナ部材の上端よりも上下方向における下方に配置されていると好適である。
【手続補正１１】
【補正対象書類名】明細書
【補正対象項目名】００１８
【補正方法】変更
【補正の内容】
【００１８】
このとき、前記ベース部材は、下方に突出する下方突出部を有し、前記リテーナ部材は、前記ベース格納部を保持する前記リテーナ部材の一部から前記下方突出部に向かって延出し、前記下方突出部に重ね合わされた状態で、前記下方突出部に取り付けられていると好適である。
【手続補正１２】
【補正対象書類名】明細書
【補正対象項目名】００１９
【補正方法】変更
【補正の内容】
【００１９】
このとき、前記リテーナ部材は、前記ベース部材に直接接触して取り付けられていると好適である。
【手続補正１３】
【補正対象書類名】明細書
【補正対象項目名】００２０
【補正方法】変更
【補正の内容】
【００２０】
このとき、前記開口部は、前記ベース格納部の後面に形成されていると好適である。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
本発明によれば、ハーネスを、ベース部材の開口部を通過させてベース部材の裏側に配設することができ、コンパクトに配置することができる。また、ハーネスを好適に構成部品に支持させることができる。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】